(57)【要約】【課題】エアコンユニット用の外気導入ダクトをキャブ内に設置した場合のスペース上の問題点、環境上の問題点を改善できるキャブを提供する。【解決手段】キャブ本体３１に案内ダクト３５を固着し、案内ダクト３５の内端に対向させてエアコンユニット４１の外気導入接続口部４２を配置する。キャブ本体３１の外部より外気導入ダクト４４を案内ダクト３５の挿通孔３８内に挿入するとともに、エアコンユニット４１の外気導入接続口部４２に嵌合することにより、外気導入ダクト４４を外部から接続する。外気導入ダクト４４は、案内ダクト３５およびエアコンユニット４１の外気導入接続口部４２に挿入する差込部４５と、キャブ本体３１の外部で差込部４５とは反対側に開口したフィルタ収納部４６とを備えている。外気導入ダクト４４のフィルタ収納部４６は、外気を浄化する外気浄化フィルタ５３を内蔵している。【選択図】　　　　図１
2004136757.tif 000002
【特許請求の範囲】
【請求項１】
キャブ本体と、
キャブ本体に設けられた挿通孔と、
挿通孔に対向してキャブ本体内で開口された外気導入接続口部を有する空気調和機と、
キャブ本体の外部より挿通孔に挿入されて空気調和機の外気導入接続口部に嵌合された外気導入ダクトと
を具備したことを特徴とするキャブ。
【請求項２】
キャブ本体に固着され内部に挿通孔を形成した案内筒体と、
案内筒体に設けられた取付台座と、
取付台座に着脱可能に固定された固定部材と、
外気導入ダクトに設けられ取付台座に装着された固定部材と係合する係合部と
を具備したことを特徴とする請求項１記載のキャブ。
【請求項３】
外気導入ダクトは、
挿通孔および空気調和機の外気導入接続口部に挿入される差込部と、
キャブ本体の外部で差込部とは反対側に開口されたフィルタ収納部とを備え、
外気導入ダクトのフィルタ収納部に内蔵され空気調和機に吸込まれる外気を浄化する外気浄化フィルタ
を具備したことを特徴とする請求項１または２記載のキャブ。
【請求項４】
外気導入ダクトは、
フィルタ収納部の開口縁の一側に基端を開閉自在に軸支され外気浄化フィルタを外側から押圧するフィルタ押え体と、
フィルタ押え体の先端側をフィルタ収納部の開口縁の他側で係脱自在に係止する係止板と
を具備したことを特徴とする請求項３記載のキャブ。
【発明の詳細な説明】
【０００１】
【発明の属する技術分野】
本発明は、外気導入ダクトを備えたキャブに関する。
【０００２】
【従来の技術】
図４に示されるように、油圧ショベルは、下部走行体１１上に上部旋回体１２が設けられ、この上部旋回体１２上に作業装置１３と、オペレータの運転空間を形成するキャブ１４とが搭載されている。
【０００３】
キャブ１４には、キャブ１４内の温湿度を調節し換気をするための空気調和機すなわちエアコンディショナユニットが設置されている。この場合、キャブ１４内の空気調和機へ外気を導入する外気導入ダクトや、外気を浄化する外気浄化フィルタは、キャブ後部のリヤパネルに取付けられている（例えば、特許文献１参照）。
【０００４】
図５および図６に示されるように、現状は、キャブ後部のリヤパネル１５に、外気導入エアを浄化する外気浄化フィルタ１６を内蔵した外気導入用フィルタボックス１７を設け、その外気導入用フィルタボックス１７のキャブ室内側と空気調和機１８とを外気導入ダクト１９にて接続して外気を空気調和機１８へ導いている。
【０００５】
【特許文献１】
特開平９−２９０６３１号公報（第２頁、図１および図２）
【０００６】
【発明が解決しようとする課題】
従来の外気導入構造は、外気導入用フィルタボックス１７のキャブ内飛出しや、外気導入ダクト１９のキャブ内通路スペースなどが大きく、相対的にキャブ１４内の有効利用可能なスペースを縮小することになる。
【０００７】
例えば、キャブ内オペレータスペース、特に足元スペースをより多く確保するために、オペレータが座るシート２１はキャブ後方へ設置することが望ましいが、外気導入ダクト１９あるいは外気導入用フィルタボックス１７がキャブ１４内にあるため、シートレイアウトが思うように取れない。
【０００８】
また、外気導入ダクト１９の長さが長くなればなるほど、ダクト内空気の通気抵抗が増して、それを補うために送風量を増加しなければならなくなり、結果としてダクト騒音が増加して、オペレータ環境に悪影響を及ぼすことになる。
【０００９】
さらに、上部旋回体１２にキャブ１４を搭載する際は、キャブ内部の狭小スペースで外気導入ダクト１９を空気調和機１８に接続するなどの作業を伴なうため、キャブ１４の搭載作業が容易でない。
【００１０】
その上、外気浄化フィルタ１６は、多数のねじ２２で固定された外気導入用フィルタボックス１７の蓋２３を開けないとメンテナンスできないので、手数がかかり、メンテナンス作業を容易にできない問題がある。
【００１１】
本発明は、このような点に鑑みなされたもので、空気調和機用の外気導入ダクトをキャブ内に設置した場合のスペース上の問題点、環境上の問題点を改善できるキャブを提供することを目的とするものである。さらに、キャブ搭載作業の容易化、外気浄化フィルタのメンテナンス作業の容易化を図ることを目的とするものである。
【００１２】
【課題を解決するための手段】
請求項１に記載された発明は、キャブ本体と、キャブ本体に設けられた挿通孔と、挿通孔に対向してキャブ本体内で開口された外気導入接続口部を有する空気調和機と、キャブ本体の外部より挿通孔に挿入されて空気調和機の外気導入接続口部に嵌合された外気導入ダクトとを具備したキャブであり、外気導入ダクトをキャブ本体の外部から挿通孔の内部に挿入して、そのまま空気調和機の外気導入接続口部に嵌合することで、外気導入ダクトを外部から容易に接続できるので、従来のようにキャブ本体の内側に外気導入ダクトなどを配設するためのスペースを必要とせず、その分、キャブ本体内の利用可能スペースを広く確保でき、シートレイアウトの容易性、キャブ内空間の有効活用を図れ、また、外気導入ダクトを短くできるため、通気抵抗が少なくなり、空気調和機の送風量を減少でき、ダクト騒音を低減でき、さらに、キャブ本体の搭載にともない、外気導入ダクトをキャブ本体の外部から挿通孔を通して空気調和機の外気導入接続口部に嵌合することで、外気導入ダクトを外部から容易に接続作業できるので、作業工数が少なくて済むとともに、キャブ搭載の容易化も図れる。
【００１３】
請求項２に記載された発明は、請求項１記載のキャブにおいて、キャブ本体に固着され内部に挿通孔を形成した案内筒体と、案内筒体に設けられた取付台座と、取付台座に着脱可能に固定された固定部材と、外気導入ダクトに設けられ取付台座に装着された固定部材と係合する係合部とを具備したものであり、キャブ本体の外部より案内筒体の挿通孔内に挿入されて空気調和機の外気導入接続口部に嵌合された外気導入ダクトの係合部に対し、案内筒体の取付台座に装着された固定部材を係合させることで、外気導入ダクトが案内筒体より外れるおそれを確実に防止できるとともに、固定部材の係合を解除するのみで、外気導入ダクトを案内筒体から引抜くようにしてキャブより容易に外すことができる。
【００１４】
請求項３に記載された発明は、請求項１または２記載のキャブにおける外気導入ダクトが、挿通孔および空気調和機の外気導入接続口部に挿入される差込部と、キャブ本体の外部で差込部とは反対側に開口されたフィルタ収納部とを備え、外気導入ダクトのフィルタ収納部に内蔵され空気調和機に吸込まれる外気を浄化する外気浄化フィルタを具備したものであり、空気調和機の外気導入接続口部および挿通孔から引抜くようにして外気導入ダクトをキャブ本体より外すことで、外気導入ダクトのフィルタ収納部に内蔵された外気浄化フィルタも同時にキャブ本体から容易に外すことができ、外気浄化フィルタのメンテナンス容易化を図れる。
【００１５】
請求項４に記載された発明は、請求項３記載のキャブにおける外気導入ダクトが、フィルタ収納部の開口縁の一側に基端を開閉自在に軸支され外気浄化フィルタを外側から押圧するフィルタ押え体と、フィルタ押え体の先端側をフィルタ収納部の開口縁の他側で係脱自在に係止する係止板とを具備したものであり、フィルタ収納部の開口縁の一側に基端を開閉自在に軸支されたフィルタ押え体の先端側を、フィルタ収納部の開口縁の他側の係止板に対し係脱操作するのみで、外気浄化フィルタを外気導入ダクトのフィルタ収納部に対し簡単に着脱でき、外気浄化フィルタの交換などのメンテナンスを容易にできる。
【００１６】
【発明の実施の形態】
以下、本発明を図１乃至図３に示された一実施の形態を参照しながら詳細に説明する。
【００１７】
図１に示されるように、キャブ本体３１の後部に設けられたリヤパネル３２は、下部が凹状に形成され、凹部３３が設けられている。
【００１８】
図２および図３に示されるようにリヤパネル３２に角穴３４が穿設され、この角穴３４に角筒状の案内筒体としての案内ダクト３５が嵌着され、全周にわたって施された溶接継手３６により固着されている。
【００１９】
この案内ダクト３５の外側の開口縁には、全周にわたってＵ形断面のシール部材３７が嵌着されている。さらに、この案内ダクト３５の内部に挿通孔３８が設けられている。
【００２０】
一方、この案内ダクト３５の内端に対向して、キャブ本体３１内に設置された空気調和機としてのエア・コンディショナ・ユニット（以下、これを「エアコンユニット」と称する）４１の外気導入接続口部４２が配置されている。この外気導入接続口部４２の内周面には、全周にわたってシール部材４３が嵌着されている。エアコンユニット４１は、図３に示されるようにオペレータ・シートの後方下部のキャブフロア上面Ｆに設置されている。
【００２１】
キャブ本体３１の外部より案内ダクト３５の挿通孔３８内に外気導入ダクト４４が挿入され、さらに、この外気導入ダクト４４は、エアコンユニット４１の外気導入接続口部４２に差込まれるように嵌合されている。この状態で、外気導入ダクト４４の大部分が、前記凹部３３の内部に収められている。
【００２２】
外気導入ダクト４４は、案内ダクト３５およびエアコンユニット４１の外気導入接続口部４２に挿入される角筒状の差込部４５と、キャブ本体３１の外部で差込部４５とは反対側に開口されたフィルタ収納部４６とを備えている。
【００２３】
差込部４５は、図３に示されるように案内ダクト３５に挿入される部分４５ａに対して、段差部４５ｂを介して、エアコンユニット４１の外気導入接続口部４２に挿入される部分４５ｃが形成されている。
【００２４】
差込部４５とフィルタ収納部４６との間には、図２に示されるように差込部４５の一側面をそのまま延長した一側面部４７と、この一側面部４７に対し後方へ拡開させるように形成された他側面部４８とにより、斜め後方へ拡開するように形成された外気導入部４９が設けられている。
【００２５】
一側面部４７の後端部は、他側面部４８と平行になるように折曲部５１を介して折曲形成され、フィルタ収納部４６が角箱形に形成されているとともに、この折曲部５１の内側を含む角箱内端部に、複数のフィルタ受け部５２が設けられている。
【００２６】
そして、これらのフィルタ受け部５２により係止されるように、外気導入ダクト４４のフィルタ収納部４６に、エアコンユニット４１に吸込まれる外気を浄化する外気浄化フィルタ５３が内蔵されている。
【００２７】
また、図３に示されるように案内ダクト３５の上面に取付台座５４が設けられ、この取付台座５４に、固定部材としてのＬ形に折曲形成された固定プレート５５が、固定ねじ５６により着脱可能に固定されている。
【００２８】
一方、外気導入ダクト４４の差込部４５の上面には、係合部としての凹溝５７が設けられ、この凹溝５７に、取付台座５４に装着された固定プレート５５の先端部が挿入され係合されている。この係合状態では、案内ダクト３５に対し外気導入ダクト４４の差込部４５が位置決めされた固定関係にある。
【００２９】
したがって、固定ねじ５６を外すか緩めることにより、固定プレート５５の先端部を凹溝５７から外すと、案内ダクト３５より外気導入ダクト４４の差込部４５を引抜くことが可能となる。
【００３０】
また、外気導入ダクト４４のフィルタ収納部４６の開口側には、外気浄化フィルタ５３を外側から押圧する２本の針金状のフィルタ押え体６１が設けられている。すなわち、図２に示されるようにフィルタ収納部４６の開口縁の一側に、フィルタ押え体６１の基端がヒンジ６２により開閉自在に軸支され、フィルタ収納部４６の開口縁の他側に、フィルタ押え体６１の先端側を係脱自在に係止する係止板６３が設けられている。
【００３１】
フィルタ押え体６１は、図２に示されるように中央部にフィルタ収納部４６内の外気浄化フィルタ５３と接触してこれを押圧する凸状部６１ａが形成され、図３に示されるように先端部に指先で操作しやすいように円形状に折曲された操作部６１ｂが形成されている。
【００３２】
係止板６３には、図３に示されるようにフィルタ押え体６１が係合されるＬ形および逆Ｌ形の鉤溝６４がそれぞれ設けられ、これらの鉤溝６４に係合された上下のフィルタ押え体６１の先端部を相互に近付ける方向に操作することで、係合状態を解除する。
【００３３】
このように、キャブ本体３１の外側よりキャブ後部のリヤパネル３２を通して外気導入ダクト４４をキャブ本体３１内のエアコンユニット４１の外気導入接続口部４２へ差込むことを可能にした案内ダクト３５を設置したので、キャブ後部のリヤパネル３２に従来のような外気導入用フィルタボックスを設ける必要がないとともに、従来のエアコンユニットへの外気導入ダクトのように、キャブ内に配設する必要もない。
【００３４】
さらに、外気導入ダクト４４は、この外気導入ダクト４４のエアコンユニット４１側とは反対側の端部を拡大することで、この外気導入ダクト４４内に外気浄化フィルタ５３を設置可能とした構造であり、また、案内ダクト３５に一体形成された取付台座５４から固定プレート５５を突出させて、その固定プレート５５の先端により外気導入ダクト４４の凹溝５７を押えることで、外気導入ダクト４４が案内ダクト３５より外れることのないようにした構造である。
【００３５】
次に、この図１乃至図３に示された実施の形態の作用効果を説明する。
【００３６】
外気導入ダクト４４の差込部４５をキャブ本体３１の外部から案内ダクト３５の挿通孔３８内に挿入して、そのままエアコンユニット４１の外気導入接続口部４２に差込むように嵌合することで、外気導入ダクト４４を容易に接続できる。
【００３７】
これにより、従来のようにキャブ内に外気導入ダクトなどを配設するためのスペースを必要とせず、その分、キャブ本体３１内の利用可能スペースを広く確保でき、シートレイアウトの容易性、キャブ内空間の有効活用を図れる。
【００３８】
すなわち、通常、エアコンユニット４１は、オペレータ・シートの後方下部のキャブフロア上面Ｆ（図３）に設置されており、キャブ内オペレータスペース、特に足元スペースをより多く確保するために、シートはキャブ後方へ設置したいが、従来のように外気導入ダクトあるいは外気導入用フィルタボックスがキャブ内に設置された場合は、これらのスペースが邪魔をしているために、シートレイアウトが思うように取れない。これに対し、図１乃至図３に示されたダクト構造であれば、外気導入用フィルタボックスをキャブ内に設置する必要がないとともに、外気導入ダクト４４の大部分がリヤパネル３２より外部にあるため、シートレイアウトを比較的自由に設計することが可能である。
【００３９】
さらに、従来の外気導入ダクトや外気導入用フィルタボックスのあったスペースに電装部品などを設置してキャブ内空間を有効活用できる。
【００４０】
また、外気導入ダクト４４を短くできるため、通気抵抗が少なくなり、エアコンユニット４１の送風量を減少でき、ダクト騒音を低減できる。
【００４１】
特に、外気導入ダクト４４の差込部４５に対し漸次拡開状の外気導入部４９を介し断面積大のフィルタ収納部４６が連続的に形成されているので、この断面積大のフィルタ収納部４６内に収納された大型の外気浄化フィルタ５３により、大量の外気を浄化処理することができ、これもダクト騒音の低減につながる。
【００４２】
さらに、上部旋回体１２上へのキャブ１４の搭載にともない、外気導入ダクト４４をキャブ本体３１の外部から案内ダクト３５を通してエアコンユニット４１の外気導入接続口部４２に差込むだけで、外気導入ダクト４４を外部から容易に接続作業でき、後は補助的な固定プレート５５の固定のみでよいから、従来の多数のねじのみによる固定に比べて、作業工数も少なくて済むとともにキャブ搭載の容易化も図れる。
【００４３】
その際、キャブ本体３１の外部より案内ダクト３５の挿通孔３８内に挿入されてエアコンユニット４１の外気導入接続口部４２に嵌合された外気導入ダクト４４の凹溝５７に対し、案内ダクト３５の取付台座５４に僅かな固定ねじ５６で装着された固定プレート５５の先端部を係合させることで、外気導入ダクト４４が案内ダクト３５より外れるおそれを確実に防止できるとともに、僅かな固定ねじ５６を緩めて、外気導入ダクト４４の凹溝５７に対する固定プレート５５の係合を解除するのみで、外気導入ダクト４４を案内ダクト３５から引抜くようにしてキャブ本体３１より容易に外すことができる。
【００４４】
また、従来は外気導入用フィルタボックスの蓋を、ねじなどの固定部品を外してから開けて、外気浄化フィルタをメンテナンスしていたが、図示された実施の形態は、固定プレート５５から解除された外気導入ダクト４４を、エアコンユニット４１の外気導入接続口部４２および案内ダクト３５から引抜くようにしてキャブ本体３１より外すことで、外気導入ダクト４４のフィルタ収納部４６に内蔵された外気浄化フィルタ５３も同時にキャブ本体３１から容易に外すことができ、外気浄化フィルタ５３のメンテナンス容易化につながる。
【００４５】
その際、フィルタ収納部４６の開口縁の一側にヒンジ６２により基端を開閉自在に軸支されたフィルタ押え体６１の先端側を、フィルタ収納部４６の開口縁の他側の係止板６３に対し係脱操作するのみで、外気浄化フィルタ５３を外気導入ダクト４４のフィルタ収納部４６に対し簡単に着脱でき、外気浄化フィルタ５３の交換などのメンテナンスを容易にできる。
【００４６】
なお、この実施の形態に示されたキャブは、油圧ショベルに適用される場合であるが、他の建設機械、その他の作業機械に適用することも可能である。
【００４７】
【発明の効果】
請求項１記載の発明によれば、外気導入ダクトをキャブ本体の外部から挿通孔の内部に挿入して、そのまま空気調和機の外気導入接続口部に嵌合することで、外気導入ダクトを外部から容易に接続できるので、従来のようにキャブ本体の内側に外気導入ダクトなどを配設するためのスペースを必要とせず、その分、キャブ本体内の利用可能スペースを広く確保でき、シートレイアウトの容易性、キャブ内空間の有効活用を図れ、また、外気導入ダクトを短くできるため、通気抵抗が少なくなり、空気調和機の送風量を減少でき、ダクト騒音を低減でき、さらに、キャブ本体の搭載にともない、外気導入ダクトをキャブ本体の外部から挿通孔を通して空気調和機の外気導入接続口部に嵌合することで、外気導入ダクトを外部から容易に接続作業できるので、作業工数が少なくて済むとともに、キャブ搭載の容易化も図れる。
【００４８】
請求項２記載の発明によれば、キャブ本体の外部より案内筒体の挿通孔内に挿入されて空気調和機の外気導入接続口部に嵌合された外気導入ダクトの係合部に対し、案内筒体の取付台座に装着された固定部材を係合させることで、外気導入ダクトが案内筒体より外れるおそれを確実に防止できるとともに、固定部材の係合を解除するのみで、外気導入ダクトを案内筒体から引抜くようにしてキャブより容易に外すことができる。
【００４９】
請求項３記載の発明によれば、空気調和機の外気導入接続口部および挿通孔から引抜くようにして外気導入ダクトをキャブ本体より外すことで、外気導入ダクトのフィルタ収納部に内蔵された外気浄化フィルタも同時にキャブ本体から容易に外すことができ、外気浄化フィルタのメンテナンス容易化を図れる。
【００５０】
請求項４記載の発明によれば、フィルタ収納部の開口縁の一側に基端を開閉自在に軸支されたフィルタ押え体の先端側を、フィルタ収納部の開口縁の他側の係止板に対し係脱操作するのみで、外気浄化フィルタを外気導入ダクトのフィルタ収納部に対し簡単に着脱でき、外気浄化フィルタの交換などのメンテナンスを容易にできる。
【図面の簡単な説明】
【図１】本発明に係るキャブの一実施の形態を示す水平断面図である。
【図２】同上キャブの要部の水平断面図である。
【図３】同上キャブの要部の垂直断面図である。
【図４】油圧ショベルの斜視図である。
【図５】従来のキャブの外気導入部分を示す側面図である。
【図６】従来のキャブの外気導入部分を示す正面図である。
【符号の説明】
３１　　キャブ本体
３５　　案内筒体としての案内ダクト
３８　　挿通孔
４１　　空気調和機としてのエアコンユニット
４２　　外気導入接続口部
４４　　外気導入ダクト
４５　　差込部
４６　　フィルタ収納部
５３　　外気浄化フィルタ
５４　　取付台座
５５　　固定部材としての固定プレート
５７　　係合部としての凹溝
６１　　フィルタ押え体
６３　　係止板
【図１】
2004136757.tif 000003
【図２】
2004136757.tif 000004
【図３】
2004136757.tif 000005
【図４】
2004136757.tif 000006
【図５】
2004136757.tif 000007
【図６】
2004136757.tif 000008